(57)【要約】【課題】戸当りを扉枠の所望の位置に簡単に、且つ、精度よく固定し直すことができる扉枠構造を提供する。【解決手段】戸当り３には、各ネジ部材４の軸部４２をそれぞれ挿通させるネジ通し孔３３が形成され、該ネジ通し孔３３における見込み方向Ｘ１の寸法は、軸部４２の外径よりも大きく設定される。ネジ部材４の軸部４２を扉枠２に螺合させたネジ部材４の頭部４１と戸当り３との間には、外径がネジ通し孔３３の水平方向の寸法よりも大きく設定された座金５が介される。座金５におけるネジ部材４の軸部４２を挿通させる座金孔５１は、見込み方向Ｘ１に延びるスリット形状をなしている。【選択図】  図１
0003227238.tif 000002
【実用新案登録請求の範囲】
【請求項１】
開き戸を閉じる際に扉枠に複数のネジ部材を用いて固定された戸当りで受け止めて停止させる扉枠構造であって、
前記戸当りには、前記各ネジ部材の軸部をそれぞれ挿通させ、且つ、水平方向の寸法が前記軸部の外径よりも大きく設定された複数のネジ通し孔が形成され、
前記軸部を前記扉枠に螺合させた前記ネジ部材の頭部と前記戸当りとの間には、外径が前記ネジ通し孔の水平方向の寸法よりも大きく設定された座金が介されており、
前記座金の前記軸部を挿通させる座金孔は、水平方向に延びるスリット形状をなしていることを特徴とする扉枠構造。
【請求項２】
請求項１に記載の扉枠構造において、
前記ネジ通し孔における前記扉枠から遠い側の開口周縁には、前記座金を挿入可能で、且つ、前記頭部が開口部分からはみ出ない深さに設定された座繰り穴が形成され、
該座繰り穴には、当該座繰り穴に対応する形状の蓋体が前記座金及び前記頭部を覆うよう嵌合可能であることを特徴とする扉枠構造。
【考案の詳細な説明】
【技術分野】
【０００１】
本考案は、開き戸を戸当りで受け止めて停止させる扉枠構造に関する。
【背景技術】
【０００２】
従来より、開き戸を戸当りで受け止めて停止させる扉枠構造には、例えば、経年変化により開き戸が変形したり、或いは、扉枠が歪んだりして開き戸と戸当りとの間に隙間が生じた場合において、扉枠に対する戸当りの位置を見込み方向に調節することにより、開き戸と戸当りとの間に生じる隙間を解消するものが一般的に知られている。
【０００３】
例えば、特許文献１の扉枠には、当該扉枠の延長方向に沿って延びる凹条溝が形成される一方、戸当りの扉枠側には、当該扉枠の延長方向に沿って延びる突条部が突設されていて、該突条部は、上記凹条溝に遊嵌している。そして、戸当りには、ネジ部材の軸部を通過させるネジ通し孔が扉枠の延長方向に所定の間隔をあけて複数形成され、突条部が凹条溝部の見込み方向の寸法の間において移動可能な範囲において戸当りを扉枠に対して見込み方向に移動させるとともに、各ネジ通し孔にそれぞれ挿通させた各ネジ部材を扉枠に螺合することにより、戸当りを開き戸との間に隙間を生じさせない位置にて固定するようになっている。
【先行技術文献】
【特許文献】
【０００４】
【特許文献１】特開昭５８−１９９９８３号公報
【考案の概要】
【考案が解決しようとする課題】
【０００５】
しかし、特許文献１の扉枠構造では、再度戸当りの固定位置を調節する際、扉枠からネジ部材を取り外した後、戸当りを所望する位置に合わせた状態でネジ部材を扉枠における一度開けられたネジ穴の別の位置に螺合する必要がある。
【０００６】
そのため、ネジ部材を取り外した際に形成される扉枠の古いネジ穴と、戸当りの固定位置を調節した際に形成される新しいネジ穴とが部分的に重複してネジ穴として機能しない１つの大きな穴になってしまったり、或いは、古いネジ穴と新しいネジ穴とが互いに十分な離間距離を得ることができず、古いネジ穴と新しいネジ穴との間の部材強度が低下してしまい、扉枠に対する戸当りの取付状態が不安定になってしまうおそれがあった。
【０００７】
すなわち、従来の扉枠構造では、戸当りの固定位置を調節する際に古いネジ孔に対して新しくネジ部材の螺合する位置を十分に離した位置にする必要があるため、開き戸に対する戸当りの位置を所望の位置に精度よく固定し直すことができないという問題があった。
【０００８】
また、特許文献１の扉枠構造では、戸当りの固定位置を調節する際に、ネジ部材を扉枠から完全に取り外さなければならず、戸当りの固定位置の調節作業が煩雑であるという問題もある。
【０００９】
本考案は、斯かる点に鑑みてなされたものであり、その目的とするところは、戸当りを扉枠の所望の位置に簡単に、且つ、精度よく固定し直すことができる扉枠構造を提供することにある。
【課題を解決するための手段】
【００１０】
上記の目的を達成するために、本考案は、戸当りとネジ部材との間に座金を挟み込むとともに、戸当りに形成するネジ通し孔の形状と座金におけるネジ部材の軸部を挿通させる座金孔の形状とにそれぞれ工夫を凝らしたことを特徴とする。
【００１１】
具体的には、開き戸を閉じる際に扉枠に複数のネジ部材を用いて固定された戸当りで受け止めて停止させる扉枠構造を対象とし、次のような解決手段を講じた。
【００１２】
すなわち、第１の考案では、前記戸当りには、前記各ネジ部材の軸部をそれぞれ挿通させ、且つ、水平方向の寸法が前記軸部の外径よりも大きく設定された複数のネジ通し孔が形成され、前記軸部を前記扉枠に螺合させた前記ネジ部材の頭部と前記戸当りとの間には、外径が前記ネジ通し孔の水平方向の寸法よりも大きく設定された座金が介されており、前記座金の前記軸部を挿通させる座金孔は、水平方向に延びるスリット形状をなしていることを特徴とする。
【００１３】
第２の考案では、第１の考案において、前記ネジ通し孔における前記扉枠から遠い側の開口周縁には、前記座金を挿入可能で、且つ、前記頭部が開口部分からはみ出ない深さに設定された座繰り穴が形成され、該座繰り穴には、当該座繰り穴に対応する形状の蓋体が前記座金及び前記頭部を覆うよう嵌合可能であることを特徴とする。
【考案の効果】
【００１４】
第１の考案では、各ネジ部材を緩めると、座金孔か、或いは、ネジ通し孔の水平方向の寸法の範囲内において戸当りと座金とが扉枠に対して相対移動可能になるので、戸当りを所望する位置まで移動させた後、緩めた各ネジ部材を再度締め直すことにより、戸当りの固定位置が簡単に変更可能になる。したがって、戸当りの固定位置を調節する際に特許文献１の如き古いネジ穴と新しいネジ穴とが生じるといったことがなく、例えば、微小な範囲だけ戸当りを調節したとしても扉枠に対する戸当りの取付状態が安定するようになるので、戸当りを扉枠の所望の位置に精度よく固定し直すことができる。また、戸当りの固定位置を調節する際、各ネジ部材を扉枠から完全に取り外す必要が無くなるので、戸当りの固定位置の調節作業を簡単に行うことができる。
【００１５】
第２の考案では、座繰り穴の開口部分を蓋体が覆うようになるので、座繰り穴の内部に位置する座金やネジ部材の頭部が外部から視認できなくなる。したがって、戸当りに調節機構が設けられた扉枠構造であっても外観が損なわれなくなり、意匠性の高い扉枠構造にすることができる。
【図面の簡単な説明】
【００１６】
【図１】本考案の実施形態に係る扉枠構造を示す図であり、図１（a）は扉枠構造の横断面図であり、図１（ｂ）は図１（ａ）のＤ１矢視要部拡大図である。
【図２】図２（ａ）は戸当りの固定位置を水平方向一方側に調節した図１（ａ）相当図であり、図２（ｂ）は戸当りの固定位置を水平方向他方側に調節した図１（ａ）相当図である。
【考案を実施するための形態】
【００１７】
以下、本考案の実施形態を図面に基づいて詳細に説明する。尚、以下の好ましい実施形態の説明は、本質的に例示に過ぎない。
【００１８】
図１は、本考案の実施形態に係る扉枠構造１を示す。該扉枠構造１は、図１（ａ）に示すように、人が出入りする開口部２ａが内側に形成された矩形枠状をなす木製の扉枠２と、該扉枠２における上枠（図示せず）及び両縦枠２１（一方の縦枠２１のみ示す）に固定される木製の戸当り３と、頭部４１及び軸部４２からなる複数の金属製ネジ部材４と、当該各ネジ部材４と同数の金属製座金５とで構成されている。
【００１９】
扉枠２における見込み方向Ｘ１の中央部には、開口部２ａ側に開口するとともに扉枠２の延長方向に延びる凹条の溝部２２が形成されている。
【００２０】
戸当り３は、開き戸１０を閉じる際に当該開き戸１０を受け止めて停止させるものであり、扉枠２の延長方向に延び、且つ、見込み方向Ｘ１に幅広な断面矩形状をなす本体部３１と、該本体部３１の扉枠２側に一体に突設され、且つ、当該扉枠２の延長方向に延びる突条部３２とを備えている。
【００２１】
本体部３１の見込み方向Ｘ１の一側の面には、扉枠２の延長方向に延びる中空状のゴム製クッション材６が取り付けられ、該クッション材６は、開き戸１０が開き戸３に接触する際の衝撃を緩和するようになっている。
【００２２】
突条部３２の見込み方向Ｘ１の寸法は、当該突条部３２が扉枠２の溝部２２に遊嵌可能な寸法に設定される一方、突条部３２の見付け方向Ｘ２の寸法は、溝部２２の深さと略同じになっている。
【００２３】
また、戸当り３の見込み方向Ｘ１中途部には、図１（ａ）及び図１（ｂ）に示すように、見付け方向Ｘ２に貫通する断面円形状をなすネジ通し孔３３が扉枠２の延長方向に所定の間隔をあけて複数形成されている。
【００２４】
ネジ通し孔３３は、直径、すなわち、見込み方向Ｘ１（水平方向）の寸法がネジ部材４における軸部４２の外径よりも大きく設定されていて、当該軸部４２を挿通させるようになっている。
【００２５】
ネジ通し孔３３における扉枠２から遠い側の開口周縁には、内径が座金５の外径に対応する断面円形状をなし、該座金５を挿入可能な座繰り穴３４が形成され、該座繰り穴３４は、ネジ部材４の頭部４１が座繰り穴３４の開口部分からはみ出ない深さになっている。
【００２６】
座金５の中央には、ネジ部材４の軸部４２を挿通させる座金孔５１が形成され、該座金孔５１は、水平方向に延びるスリット形状をなしている。
【００２７】
座金５の外径は、ネジ通し孔３３の見込み方向Ｘ１の寸法よりも大きく設定されていて、突条部３２が溝部２２に遊嵌した状態で戸当り３を扉枠２に対して所望する位置まで見込み方向Ｘ１に移動させ、且つ、座金５を座繰り穴３４に挿入するとともに、ネジ部材４の軸部４２を座金孔５１及びネジ通し孔３３に順に挿通させた状態で扉枠２における溝部２２の底面に螺合させることにより、座金５がネジ部材４の頭部４１と戸当り３との間に挟み込まれた状態で扉枠２に戸当り３が固定されるようになっている。
【００２８】
尚、溝部２２に位置する突条部３２が見込み方向Ｘ１において移動可能な距離（溝部２２の見込み方向Ｘ１の寸法から突条部３２の見込み方向Ｘ１の寸法を差し引いた寸法）は、座金孔５１の見込み方向Ｘ１（水平方向）の寸法と同程度に設定されている。また、戸当り３の見込み方向Ｘ１の寸法は、該戸当り３を見込み方向Ｘ１の一側と他側とにそれぞれ最大限に移動させた場合においても、Ｄ１方向視において溝部２２が視認されないように当該溝部２２を覆うことのできる十分な値が設定されている。
【００２９】
座繰り穴３４には、当該座繰り穴３４に対応する形状の蓋体７が着脱可能に嵌合している。該蓋体７の外周縁部は、柔らかい断面鋭角な形状をなしていて、蓋体７を座繰り穴３４に嵌合させた際、当該蓋体７の本体部分と座繰り穴３４との間に形成される隙間を覆うようになっている。すなわち、蓋体７は、座繰り穴３４の内部に位置する座金５及びネジ部材４の頭部４１を外部から見えない状態にしている。
【００３０】
次に、本考案の扉枠構造１における戸当り３の固定位置の調節について詳述する。
【００３１】
扉枠構造１において開き戸１０と戸当り３（クッション材６）との間に隙間が生じた場合、使用者は、戸当り３の各座繰り穴３４に嵌合する蓋体７を取り外した後、各ネジ部材４をそれぞれ少しだけ緩める。すると、戸当り３が座金孔５１及びネジ通し孔３３における見込み方向Ｘ１の寸法の範囲だけ扉枠２に対して見込み方向Ｘ１に移動可能になるので、戸当り３を所望する位置まで見込み方向Ｘ１に移動させた後、緩めた各ネジ部材４を再度締め直して戸当り３を扉枠２に固定する。
【００３２】
このように、本考案の扉枠構造１では、戸当り３の固定位置を調節する際において、各ネジ部材４を扉枠２から完全に取り外す必要が無くなるので、戸当り３の固定位置の調節作業を簡単に行うことができるとともに、戸当り３の固定位置を調節する際に特許文献１の如き古いネジ穴と新しいネジ穴とが生じるといったことがなく、例えば、微小な範囲だけ戸当り３を調節したとしても扉枠２に対する戸当り３の取付状態が安定するようになり、戸当り３を扉枠２の所望の位置に精度よく固定し直すことができる。
【００３３】
また、各座繰り穴３４には、蓋体７が嵌合しているので、座繰り穴３４の開口部分を蓋体７が覆うようになり、座繰り穴３４の内部に位置する座金５やネジ部材４の頭部４１が外部から視認できなくなる。したがって、戸当り３に調節機構が設けられた扉枠構造１であっても外観が損なわれなくなり、意匠性の高い扉枠構造１にすることができる。
【００３４】
また、図２（ａ）及び図２（ｂ）に示すように、戸当り３を軸部４２とネジ通し孔３３及び座金孔５１のいずれか一方とが接するまで、或いは、突条部３２と溝部２２の壁部とが接するまで移動させても、本体部３１によって溝部２２が覆われて視認されない状態が維持されるため、戸当り３の固定位置を変えることによる扉枠構造１の外観の低下もない。
【００３５】
尚、実施形態の扉枠構造１では、ネジ通し孔３３、座繰り穴３４、及び座金５が何れも円形状であるが、これらの形状に制限はなく、例えば、多角形であってもよい。
【００３６】
また、ネジ部材４としては、特に制限はなく、ねじ、ビス及びボルトなどの各種の軸部を有する締結手段を用いることができる。
【産業上の利用可能性】
【００３７】
本考案は、開き戸を戸当りで受け止めて停止させる扉枠構造であれば広く適用できる。
【符号の説明】
【００３８】
１        扉枠構造
２        扉枠
３        戸当り
３３      ネジ通し孔
３４      座繰り穴
４        ネジ部材
４１      頭部
４２      軸部
５        座金
５１      座金孔
７        蓋体
１０      開き戸
Ｘ１      見込み方向（水平方向）
【図１】
0003227238.tif 000003
【図２】
0003227238.tif 000004